【手続補正書】
【提出日】平成15年9月30日(2003.9.30)
【手続補正１】
【補正対象書類名】明細書
【補正対象項目名】発明の名称
【補正方法】変更
【補正の内容】
【発明の名称】ディジタル情報受信装置、ディジタル情報受信方法及び記録媒体


【手続補正２】
【補正対象書類名】明細書
【補正対象項目名】特許請求の範囲
【補正方法】変更
【補正の内容】
【特許請求の範囲】
【請求項１】
第１及び第２の受信設備を備え、前記受信設備により夫々受信されるトランスポートストリームデータを回線状態に応じて選択しながら受信するディジタル情報受信装置であって、
前記第１の受信設備で受信したトランスポートストリームデータから番組のクロック基準である第１の時刻基準情報を検出する第１の検出手段と、
前記第２の受信設備で受信したトランスポートストリームデータから番組のクロック基準である第２の時刻基準情報を検出する第２の検出手段と、
前記第１の時刻基準情報を書き込みアドレス基準として、前記第１の受信設備で受信したトランスポートストリームデータを書き込む第１の遅延メモリと、
前記第２の時刻基準情報を書き込むアドレス基準として、前記第２の受信設備で受信したトランスポートストリームデータを書き込む第２の遅延メモリと、
前記第１の遅延メモリと前記第２の遅延メモリに蓄えられたトランスポートストリームデータを選択的にデコードするデコーダとを有し、
前記第１及び第２の遅延メモリからトランスポートストリームデータを読出すための読出しアドレスを共通としたことを特徴とするディジタル情報受信装置。
【請求項２】
前記読出しアドレスは、前記デコーダが現在処理しているトランスポートストリームデータから検出された時刻基準情報に基づいて生成されることを特徴とする請求項１に記載のディジタル情報受信装置。
【請求項３】
第１及び第２の受信設備を備え、前記受信設備により夫々受信されるトランスポートストリームデータを回線状態に応じて選択しながら受信するディジタル情報受信方法であって、
前記第１の受信設備で受信したトランスポートストリームデータから番組のクロック基準である第１の時刻基準情報を検出する工程と、
前記第２の受信設備で受信したトランスポートストリームデータから番組のクロック基準である第２の時刻基準情報を検出する工程と、
前記第１の時刻基準情報を書き込みアドレス基準として、前記第１の受信設備で受信されたトランスポートストリームデータを第１の遅延メモリに書き込む工程と、
前記第２の時刻基準情報を書き込みアドレス基準として、前記第２の受信設備で受信されたトランスポートストリームデータを第２の遅延メモリに書き込む工程と、
前記第１及び第２の遅延メモリに書き込んだ前記トランスポートストリームデータを共通の読出しアドレスを用いて読み出しデコーダに選択的に出力する工程とを有することを特徴とするディジタル情報受信方法。
【請求項４】
前記共通の読出しアドレスは、前記デコーダが現在処理しているトランスポートストリームデータから検出された時刻基準情報に基づいて生成されることを特徴とする請求項３に記載のディジタル情報受信方法。
【請求項５】
請求項３又は４に記載の各工程をコンピュータに実行させるためのプログラムを格納したことを特徴とする記録媒体。
【手続補正３】
【補正対象書類名】明細書
【補正対象項目名】０００１
【補正方法】変更
【補正の内容】
【０００１】
【発明の属する技術分野】
本発明は、ディジタル情報信号等の受信を回線状態に応じて複数の受信設備を切換えながら行うディジタル情報受信装置、ディジタル情報受信方法及び記録媒体に関するものである。


【手続補正４】
【補正対象書類名】明細書
【補正対象項目名】００１２
【補正方法】変更
【補正の内容】
【００１２】
本発明は前述の問題点に鑑み、受信設備の切換え時の瞬断がないディジタル情報受信装置及び方法を提供することを目的とする。


【手続補正５】
【補正対象書類名】明細書
【補正対象項目名】００１３
【補正方法】変更
【補正の内容】
【００１３】
【課題を解決するための手段】
本発明のディジタル情報受信装置は、第１及び第２の受信設備を備え、前記受信設備により夫々受信されるトランスポートストリームデータを回線状態に応じて選択しながら受信するディジタル情報受信装置であって、前記第１の受信設備で受信したトランスポートストリームデータから番組のクロック基準である第１の時刻基準情報を検出する第１の検出手段と、前記第２の受信設備で受信したトランスポートストリームデータから番組のクロック基準である第２の時刻基準情報を検出する第２の検出手段と、前記第１の時刻基準情報を書き込みアドレス基準として、前記第１の受信設備で受信したトランスポートストリームデータを書き込む第１の遅延メモリと、前記第２の時刻基準情報を書き込むアドレス基準として、前記第２の受信設備で受信したトランスポートストリームデータを書き込む第２の遅延メモリと、前記第１の遅延メモリと前記第２の遅延メモリに蓄えられたトランスポートストリームデータを選択的にデコードするデコーダとを有し、前記第１及び第２の遅延メモリからトランスポートストリームデータを読出すための読出しアドレスを共通としたことを特徴とする。


【手続補正６】
【補正対象書類名】明細書
【補正対象項目名】００１４
【補正方法】変更
【補正の内容】
【００１４】
また、本発明のディジタル情報受信方法は、第１及び第２の受信設備を備え、前記受信設備により夫々受信されるトランスポートストリームデータを回線状態に応じて選択しながら受信するディジタル情報受信方法であって、前記第１の受信設備で受信したトランスポートストリームデータから番組のクロック基準である第１の時刻基準情報を検出する工程と、前記第２の受信設備で受信したトランスポートストリームデータから番組のクロック基準である第２の時刻基準情報を検出する工程と、前記第１の時刻基準情報を書き込みアドレス基準として、前記第１の受信設備で受信されたトランスポートストリームデータを第１の遅延メモリに書き込む工程と、前記第２の時刻基準情報を書き込みアドレス基準として、前記第２の受信設備で受信されたトランスポートストリームデータを第２の遅延メモリに書き込む工程と、前記第１及び第２の遅延メモリに書き込んだ前記トランスポートストリームデータを共通の読出しアドレスを用いて読み出しデコーダに選択的に出力する工程とを有することを特徴とする。


【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００５０
【補正方法】変更
【補正の内容】
【００５０】
【発明の効果】
以上説明したように本発明によれば、第１及び第２の受信設備を備え、前記受信設備により夫々受信されるトランスポートストリームデータを回線状態に応じて選択しながら受信するシステムにおいて、受信設備の切換え時にデコーダ出力が瞬断することのないトランスポートストリームデータの復号を行うことが可能となる。


【手続補正１６】
【補正対象書類名】図面
【補正対象項目名】図１
【補正方法】変更
【補正の内容】
【図１】
1998112813.tif 000001